【手続補正書】
【提出日】平成25年2月8日(2013.2.8)
【手続補正１】
【補正対象書類名】特許請求の範囲
【補正対象項目名】全文
【補正方法】変更
【補正の内容】
【特許請求の範囲】
【請求項１】
映像表示装置に表示される画面の表示順序を示す画面遷移パターンと、当該画面遷移パターンの優先順位とを含むメニュー画面選択履歴情報を記憶する記憶部と、
ＧＵＩプログラムを記憶する第１のメモリと、
第２のメモリと、
前記ＧＵＩプログラムの少なくとも一部を前記第２のメモリに展開したプログラムに基づいて、前記画面の制御を行うシステム制御部と、
前記映像表示装置に表示された画面を介して、メニュー操作の入力を受け付ける入力部と、
前記メニュー操作により前記画面が使用された回数に基づいて、前記画面遷移パターンの優先順位を決定し、前記決定した優先順位により前記メニュー画面選択履歴情報を更新するバックエンド部と、
前記メニュー操作が、前記メニュー画面選択履歴情報において、あらかじめ定められた順位以上の優先順位である画面遷移パターンに従うものである場合に、前記あらかじめ定められた順位以上の優先順位である画面遷移パターンを示す画面遷移情報を前記システム制御部に与えるメニュー表示決定部と、を備え、
前記システム制御部は、
前記メニュー表示決定部より与えられた画面遷移情報に従って、前記映像表示装置に表示させる画面を遷移させ、
前記バックエンド部は、
あらかじめ定められた目的画面が使用された回数を、当該目的画面毎にカウントするカウント部と、
前記カウント部によりカウントされた回数に基づいて、前記目的画面を表示順序に含む画面遷移パターンの優先順位を決定する優先順位決定部と、
前記優先順位決定部が決定した優先順位により前記メニュー画面選択履歴情報を更新する履歴情報更新部と、を備え、
前記優先順位決定部は、前記カウント部によりカウントされた回数が多い前記目的画面ほど順位が高くなるように、前記目的画面の使用頻度順位を決定し、前記使用頻度順位が高い目的画面を表示順序に含む画面遷移パターンが高い順位となるように前記優先順位を決定すること
を特徴とする映像情報表示制御装置。
【請求項２】
映像表示装置に表示される画面の表示順序を示す画面遷移パターンと、当該画面遷移パターンの優先順位とを含むメニュー画面選択履歴情報、及び、前記画面の表示を実現するために必要なオブジェクトのデータサイズであるオブジェクトサイズを示すオブジェクトサイズ情報を記憶する記憶部と、
ＧＵＩプログラムを記憶する第１のメモリと、
第２のメモリと、
前記ＧＵＩプログラムの少なくとも一部を前記第２のメモリに展開したプログラムに基づいて、前記画面の制御を行うシステム制御部と、
前記映像表示装置に表示された画面を介して、メニュー操作の入力を受け付ける入力部と、
前記メニュー操作により前記画面が使用された回数に基づいて、前記画面遷移パターンの優先順位を決定し、前記決定した優先順位により前記メニュー画面選択履歴情報を更新するバックエンド部と、
前記メニュー操作が、前記メニュー画面選択履歴情報において、あらかじめ定められた順位以上の優先順位である画面遷移パターンに従うものである場合に、前記あらかじめ定められた順位以上の優先順位である画面遷移パターンを示す画面遷移情報を前記システム制御部に与えるメニュー表示決定部と、を備え、
前記システム制御部は、
前記メニュー表示決定部より与えられた画面遷移情報に従って、前記映像表示装置に表示させる画面を遷移させ、
前記バックエンド部は、
あらかじめ定められた目的画面が使用された回数を、当該目的画面毎にカウントするカウント部と、
前記カウント部によりカウントされた回数に基づいて、前記目的画面を表示順序に含む画面遷移パターンの優先順位を決定する優先順位決定部と、
前記優先順位決定部が決定した優先順位により前記メニュー画面選択履歴情報を更新する履歴情報更新部と、を備え、
前記優先順位決定部は、
前記目的画面の使用頻度順位を、前記カウント部によりカウントされた回数が多いほど順位が高くなるように決定する処理と、
前記画面遷移パターン毎に、前記オブジェクトサイズ情報に基づいて、各々の画面遷移パターンで示される表示順序に含まれる画面のオブジェクトサイズの合計を使用サイズとして算出する処理と、
前記使用頻度順位毎に、各々の使用頻度順位以上の順位となっている前記目的画面を表示順序に含む前記画面遷移パターンにおける前記使用サイズを合計した累積サイズを算出する処理と、
前記使用頻度順位毎に、各々の使用頻度順位における前記累積サイズの、あらかじめ定められた使用予定サイズに対する割合である累積サイズ割合を算出する処理と、
前記累積サイズ割合があらかじめ定められた閾値以下である前記使用頻度順位に対応する前記画面遷移パターンに割り振る優先順位を、前記累積サイズ割合が前記あらかじめ定められた閾値よりも大きな前記使用頻度順位に対応する前記画面遷移パターンに割り振る優先順位よりも高いものとする処理と、を行うこと
を特徴とする映像情報表示制御装置。
【請求項３】
前記画面遷移パターンは、あらかじめ定められた起点画面からの表示順序を示すものであり、
前記メニュー表示決定部は、前記メニュー操作が、前記メニュー画面選択履歴情報において、前記あらかじめ定められた順位以上の優先順位である画面遷移パターンの起点画面に遷移する操作であるときに、前記メニュー操作が、前記メニュー画面選択履歴情報において、前記あらかじめ定められた順位以上の優先順位である画面遷移パターンに従うものであると判断すること
を特徴とする請求項１又は２に記載の映像情報表示制御装置。
【請求項４】
前記ＧＵＩプログラムは、前記画面遷移パターンで示される表示順序に含まれる画面のオブジェクトが前記優先順位毎に纏められたオブジェクト群と、前記オブジェクトを用いて前記画面遷移パターンで示される表示順序に含まれる画面の制御を行うためのメニュー制御コードを含む共通メニュー制御コード群とを有し、
前記システム制御部は、前記入力部を介してメニュー操作を受け付ける際に、前記あらかじめ定められた順位以上の優先順位に対応するオブジェクト群及び前記共通メニュー制御コード群を前記第１のメモリより取得して、前記取得したオブジェクト群及び共通メニュー制御コード群を前記第２のメモリに展開すること
を特徴とする請求項１から３の何れか一項に記載の映像情報表示制御装置。
【請求項５】
前記システム制御部は、前記メニュー操作により遷移する画面のオブジェクトが、前記あらかじめ定められた順位よりも低い優先順位に対応するオブジェクト群に含まれる場合には、前記あらかじめ定められた順位よりも低い優先順位に対応するオブジェクト群を前記第１のメモリより取得して、前記取得したオブジェクト群を前記第２のメモリに展開すること
を特徴とする請求項４に記載の映像情報表示制御装置。
【請求項６】
前記システム制御部は、
前記あらかじめ定められた順位よりも低い優先順位に対応するオブジェクト群を前記第２のメモリに展開する際に、前記あらかじめ定められた順位以上の優先順位に対応するオブジェクト群より前記第２のメモリに展開されたプログラムを削除すること
を特徴とする請求項５に記載の映像情報表示制御装置。
【請求項７】
前記ＧＵＩプログラムは、前記オブジェクト群毎の前記ＧＵＩプログラム内におけるアドレスを含むヘッダを有し、
前記システム制御部は、前記ヘッダに含まれるアドレスを参照することにより、前記優先順位に対応するオブジェクト群を取得すること
を特徴とする請求項４から６の何れか一項に記載の映像情報表示制御装置。
【請求項８】
前記履歴情報更新部により更新されたメニュー画面選択履歴情報に基づいて、前記ＧＵＩプログラムを更新する分割メニュー更新部をさらに備えること、
を特徴とする請求項４から７の何れか一項に記載の映像情報表示制御装置。
【請求項９】
映像表示装置に表示される画面の表示順序を示す画面遷移パターンと、当該画面遷移パターンの優先順位とを含むメニュー画面選択履歴情報を記憶する記憶部と、
ＧＵＩプログラムを記憶する第１のメモリと、
第２のメモリと、
前記ＧＵＩプログラムの少なくとも一部を前記第２のメモリに展開したプログラムに基づいて、前記画面の制御を行うシステム制御部と、
前記映像表示装置に表示された画面を介して、メニュー操作の入力を受け付ける入力部と、を備える映像情報表示制御装置が行う映像情報表示制御方法であって、
バックエンド部が、前記メニュー操作により前記画面が使用された回数に基づいて、前記画面遷移パターンの優先順位を決定し、前記決定した優先順位により前記メニュー画面選択履歴情報を更新する更新ステップと、
メニュー表示決定部が、前記メニュー操作が、前記メニュー画面選択履歴情報において、あらかじめ定められた順位以上の優先順位である画面遷移パターンに従うものである場合に、前記あらかじめ定められた順位以上の優先順位である画面遷移パターンを示す画面遷移情報を前記システム制御部に与える画面遷移情報提供ステップと、
前記システム制御部が、前記画面遷移情報提供ステップにおいて与えられた画面遷移情報に従って、前記映像表示装置に表示させる画面を遷移させる画面遷移ステップと、を有し、
前記更新ステップは、
あらかじめ定められた目的画面が使用された回数を、当該目的画面毎にカウントするカウントステップと、
前記カウントステップにおいてカウントされた回数に基づいて、前記目的画面を表示順序に含む画面遷移パターンの優先順位を決定する優先順位決定ステップと、
前記優先順位決定ステップにおいて決定された優先順位により前記メニュー画面選択履歴情報を更新する履歴情報更新ステップと、を有し、
前記優先順位決定ステップは、前記カウントステップにおいてカウントされた回数が多い前記目的画面ほど順位が高くなるように、前記目的画面の使用頻度順位を決定し、前記使用頻度順位が高い目的画面を表示順序に含む画面遷移パターンが高い順位となるように前記優先順位を決定すること
を特徴とする映像情報表示制御方法。
【請求項１０】
映像表示装置に表示される画面の表示順序を示す画面遷移パターンと、当該画面遷移パターンの優先順位とを含むメニュー画面選択履歴情報、及び、前記画面の表示を実現するために必要なオブジェクトのデータサイズであるオブジェクトサイズを示すオブジェクトサイズ情報を記憶する記憶部と、
ＧＵＩプログラムを記憶する第１のメモリと、
第２のメモリと、
前記ＧＵＩプログラムの少なくとも一部を前記第２のメモリに展開したプログラムに基づいて、前記画面の制御を行うシステム制御部と、
前記映像表示装置に表示された画面を介して、メニュー操作の入力を受け付ける入力部と、を備える映像情報表示制御装置が行う映像情報表示制御方法であって、
バックエンド部が、前記メニュー操作により前記画面が使用された回数に基づいて、前記画面遷移パターンの優先順位を決定し、前記決定した優先順位により前記メニュー画面選択履歴情報を更新する更新ステップと、
メニュー表示決定部が、前記メニュー操作が、前記メニュー画面選択履歴情報において、あらかじめ定められた順位以上の優先順位である画面遷移パターンに従うものである場合に、前記あらかじめ定められた順位以上の優先順位である画面遷移パターンを示す画面遷移情報を前記システム制御部に与える画面遷移情報提供ステップと、
前記システム制御部が、前記画面遷移情報提供ステップにおいて与えられた画面遷移情報に従って、前記映像表示装置に表示させる画面を遷移させる画面遷移ステップと、を有し、
前記更新ステップは、
あらかじめ定められた目的画面が使用された回数を、当該目的画面毎にカウントするカウントステップと、
前記カウントステップにおいてカウントされた回数に基づいて、前記目的画面を表示順序に含む画面遷移パターンの優先順位を決定する優先順位決定ステップと、
前記優先順位決定ステップにおいて決定された優先順位により前記メニュー画面選択履歴情報を更新する履歴情報更新ステップと、を有し、
前記優先順位決定ステップは、
前記目的画面の使用頻度順位を、前記カウント部によりカウントされた回数が多いほど順位が高くなるように決定するステップと、
前記画面遷移パターン毎に、前記オブジェクトサイズ情報に基づいて、各々の画面遷移パターンで示される表示順序に含まれる画面のオブジェクトサイズの合計を使用サイズとして算出するステップと、
前記使用頻度順位毎に、各々の使用頻度順位以上の順位となっている前記目的画面を表示順序に含む前記画面遷移パターンにおける前記使用サイズを合計した累積サイズを算出するステップと、
前記使用頻度順位毎に、各々の使用頻度順位における前記累積サイズの、あらかじめ定められた使用予定サイズに対する割合である累積サイズ割合を算出するステップと、
前記累積サイズ割合があらかじめ定められた閾値以下である前記使用頻度順位に対応する前記画面遷移パターンに割り振る優先順位を、前記累積サイズ割合が前記あらかじめ定められた閾値よりも大きな前記使用頻度順位に対応する前記画面遷移パターンに割り振る優先順位よりも高いものとするステップと、を行うこと
を特徴とする映像情報表示制御方法。
【請求項１１】
前記画面遷移パターンは、あらかじめ定められた起点画面からの表示順序を示すものであり、
前記画面遷移判断ステップにおいて、前記メニュー表示決定部は、前記メニュー操作が、前記メニュー画面選択履歴情報において、前記あらかじめ定められた順位以上の優先順位である画面遷移パターンの起点画面に遷移する操作であるときに、前記メニュー操作が、前記メニュー画面選択履歴情報において、前記あらかじめ定められた順位以上の優先順位である画面遷移パターンに従うものであると判断すること
を特徴とする請求項９又は１０に記載の映像情報表示制御方法。
【請求項１２】
前記ＧＵＩプログラムは、前記画面遷移パターンで示される表示順序に含まれる画面のオブジェクトが前記優先順位毎に纏められたオブジェクト群と、前記オブジェクトを用いて前記画面遷移パターンで示される表示順序に含まれる画面の制御を行うためのメニュー制御コードを含む共通メニュー制御コード群とを有し、
前記システム制御部が、前記入力部を介してメニュー操作を受け付ける際に、前記あらかじめ定められた順位以上の優先順位に対応するオブジェクト群及び前記共通メニュー制御コード群を前記第１のメモリより取得して、前記取得したオブジェクト群及び共通メニュー制御コード群を前記第２のメモリに展開する第１展開ステップをさらに有すること
を特徴とする請求項１１に記載の映像情報表示制御方法。
【請求項１３】
前記システム制御部が、前記メニュー操作により遷移する画面のオブジェクトが、前記あらかじめ定められた順位よりも低い優先順位に対応するオブジェクト群に含まれる場合には、前記あらかじめ定められた順位よりも低い優先順位に対応するオブジェクト群を前記第１のメモリより取得して、前記取得したオブジェクト群を前記第２のメモリに展開する第２展開ステップをさらに有すること
を特徴とする請求項１２に記載の映像情報表示制御方法。
【請求項１４】
第２展開ステップにおいて、
前記システム制御部が、前記あらかじめ定められた順位よりも低い優先順位に対応するオブジェクト群を前記第２のメモリに展開する際に、前記あらかじめ定められた順位以上の優先順位に対応するオブジェクト群より前記第２のメモリに展開されたプログラムを削除すること
を特徴とする請求項１３に記載の映像情報表示制御方法。
【請求項１５】
前記ＧＵＩプログラムは、前記オブジェクト群毎の前記ＧＵＩプログラム内におけるアドレスを含むヘッダを有し、
前記システム制御部は、前記ヘッダに含まれるアドレスを参照することにより、前記優先順位に対応するオブジェクト群を取得すること
を特徴とする請求項１２から１４の何れか一項に記載の映像情報表示制御方法。
【請求項１６】
分割メニュー更新部が、前記履歴情報更新ステップにおいて更新されたメニュー画面選択履歴情報に基づいて、前記ＧＵＩプログラムを更新する分割メニュー更新ステップをさらに有すること、
を特徴とする請求項１２から１５の何れか一項に記載の映像情報表示制御方法。
【手続補正２】
【補正対象書類名】明細書
【補正対象項目名】００１０
【補正方法】変更
【補正の内容】
【００１０】
本発明に係る映像情報表示制御装置は、
映像表示装置に表示される画面の表示順序を示す画面遷移パターンと、当該画面遷移パターンの優先順位とを含むメニュー画面選択履歴情報を記憶する記憶部と、
ＧＵＩプログラムを記憶する第１のメモリと、
第２のメモリと、
前記ＧＵＩプログラムの少なくとも一部を前記第２のメモリに展開したプログラムに基づいて、前記画面の制御を行うシステム制御部と、
前記映像表示装置に表示された画面を介して、メニュー操作の入力を受け付ける入力部と、
前記メニュー操作により前記画面が使用された回数に基づいて、前記画面遷移パターンの優先順位を決定し、前記決定した優先順位により前記メニュー画面選択履歴情報を更新するバックエンド部と、
前記メニュー操作が、前記メニュー画面選択履歴情報において、あらかじめ定められた順位以上の優先順位である画面遷移パターンに従うものである場合に、前記あらかじめ定められた順位以上の優先順位である画面遷移パターンを示す画面遷移情報を前記システム制御部に与えるメニュー表示決定部と、を備え、
前記システム制御部は、
前記メニュー表示決定部より与えられた画面遷移情報に従って、前記映像表示装置に表示させる画面を遷移させ、
前記バックエンド部は、
あらかじめ定められた目的画面が使用された回数を、当該目的画面毎にカウントするカウント部と、
前記カウント部によりカウントされた回数に基づいて、前記目的画面を表示順序に含む画面遷移パターンの優先順位を決定する優先順位決定部と、
前記優先順位決定部が決定した優先順位により前記メニュー画面選択履歴情報を更新する履歴情報更新部と、を備え、
前記優先順位決定部は、前記カウント部によりカウントされた回数が多い前記目的画面ほど順位が高くなるように、前記目的画面の使用頻度順位を決定し、前記使用頻度順位が高い目的画面を表示順序に含む画面遷移パターンが高い順位となるように前記優先順位を決定すること
を特徴とする。
また、本発明に係る映像情報表示制御装置は、
映像表示装置に表示される画面の表示順序を示す画面遷移パターンと、当該画面遷移パターンの優先順位とを含むメニュー画面選択履歴情報、及び、前記画面の表示を実現するために必要なオブジェクトのデータサイズであるオブジェクトサイズを示すオブジェクトサイズ情報を記憶する記憶部と、
ＧＵＩプログラムを記憶する第１のメモリと、
第２のメモリと、
前記ＧＵＩプログラムの少なくとも一部を前記第２のメモリに展開したプログラムに基づいて、前記画面の制御を行うシステム制御部と、
前記映像表示装置に表示された画面を介して、メニュー操作の入力を受け付ける入力部と、
前記メニュー操作により前記画面が使用された回数に基づいて、前記画面遷移パターンの優先順位を決定し、前記決定した優先順位により前記メニュー画面選択履歴情報を更新するバックエンド部と、
前記メニュー操作が、前記メニュー画面選択履歴情報において、あらかじめ定められた順位以上の優先順位である画面遷移パターンに従うものである場合に、前記あらかじめ定められた順位以上の優先順位である画面遷移パターンを示す画面遷移情報を前記システム制御部に与えるメニュー表示決定部と、を備え、
前記システム制御部は、
前記メニュー表示決定部より与えられた画面遷移情報に従って、前記映像表示装置に表示させる画面を遷移させ、
前記バックエンド部は、
あらかじめ定められた目的画面が使用された回数を、当該目的画面毎にカウントするカウント部と、
前記カウント部によりカウントされた回数に基づいて、前記目的画面を表示順序に含む画面遷移パターンの優先順位を決定する優先順位決定部と、
前記優先順位決定部が決定した優先順位により前記メニュー画面選択履歴情報を更新する履歴情報更新部と、を備え、
前記優先順位決定部は、
前記目的画面の使用頻度順位を、前記カウント部によりカウントされた回数が多いほど順位が高くなるように決定する処理と、
前記画面遷移パターン毎に、前記オブジェクトサイズ情報に基づいて、各々の画面遷移パターンで示される表示順序に含まれる画面のオブジェクトサイズの合計を使用サイズとして算出する処理と、
前記使用頻度順位毎に、各々の使用頻度順位以上の順位となっている前記目的画面を表示順序に含む前記画面遷移パターンにおける前記使用サイズを合計した累積サイズを算出する処理と、
前記使用頻度順位毎に、各々の使用頻度順位における前記累積サイズの、あらかじめ定められた使用予定サイズに対する割合である累積サイズ割合を算出する処理と、
前記累積サイズ割合があらかじめ定められた閾値以下である前記使用頻度順位に対応する前記画面遷移パターンに割り振る優先順位を、前記累積サイズ割合が前記あらかじめ定められた閾値よりも大きな前記使用頻度順位に対応する前記画面遷移パターンに割り振る優先順位よりも高いものとする処理と、を行うこと
を特徴とする。